(57)【要約】【課題】構成部材に延設された加熱発泡材が剥がれ落ちてしまうことを確実に防止できるとともに生産性及び意匠性の高い建具を提供すること。【解決手段】建物に形成された躯体開口部Ａの内部に設けられる建具１００であって、見付方向に延びる開口部上枠本体５１１に沿って延設された加熱発泡材５１１ｃと、前記加熱発泡材の近傍に配置された気密材９１を備え、気密材９１は、加熱発泡材５１１ｃの延びる方向に延設された気密材本体部９１ａと、加熱発泡材５１１ｃの開口部上枠本体５１１とは反対側の表面に向かって気密材本体部９１ａから延出する気密材延出部９１ｂと、を有する。【選択図】図５
2016108831.tif 000002
【特許請求の範囲】
【請求項１】
建物に形成された躯体開口部の内部に設けられる建具であって、
見付方向に延びる前記建具の構成部材に沿って延設された加熱発泡材と、
前記加熱発泡材の近傍に配置された弾性部材を備え、
前記弾性部材は、前記加熱発泡材の延びる方向に延設された弾性部材本体部と、前記加熱発泡材の前記構成部材とは反対側の表面に向かって前記弾性部材本体部から延出する弾性部材延出部と、を有する建具。
【請求項２】
前記弾性部材延出部は、前記加熱発泡材に当接する請求項１記載の建具。
【請求項３】
前記弾性部材延出部は、前記弾性部材本体部の延設方向全体に亘って形成される請求項１又は２記載の建具。
【請求項４】
前記弾性部材は気密材である請求項１から３いずれか記載の建具。
【発明の詳細な説明】
【技術分野】
【０００１】
本発明は、建具に関する。
【背景技術】
【０００２】
従来、ドア等の建具において、防火性能を向上させる技術が知られている（例えば、特許文献１参照）。
ところで、建具の防火性能をより向上させるために、枠体と戸との間等に、熱によって膨張する加熱発泡材を配置する場合がある。枠体と戸との間に加熱発泡材を配置すれば、火災において戸が反って生じた隙間に膨張した加熱発泡材が充填され、火炎や煙が枠体と戸の間を通過するのを防ぐことができる。
【先行技術文献】
【特許文献】
【０００３】
【特許文献１】特開２０１３−７９５６３号公報
【発明の概要】
【発明が解決しようとする課題】
【０００４】
加熱発泡材の固定構造としては、加熱発泡材に直接ネジ等の締結部材を差し込んで固定した構造や、締結部材によって固定した金具により加熱発泡材を押さえる構造が知られている。しかしながら、これらの構造を採用した場合、複数の締結部材を用いて加熱発泡材を確実に固定する必要があるため、建具の生産性が低くなるのが問題であった。また、締結部材を使用した従来の加熱発泡材の固定構造を採用した建具は、締結部材が外部から視認されてしまうような場合に意匠性が低いことも問題であった。
【０００５】
本発明は、上記課題に鑑みてなされたものであり、構成部材に延設された加熱発泡材が剥がれ落ちてしまうことを確実に防止できるとともに生産性及び意匠性の高い建具を提供することを目的とする。
【課題を解決するための手段】
【０００６】
上記目的を達成するため本発明は、建物に形成された躯体開口部（例えば、後述の躯体開口部Ａ）の内部に設けられる建具（例えば、後述の建具１００）であって、見付方向に延びる前記建具の構成部材（例えば、後述の開口部上枠本体５１１，開口部下枠本体５２１）に沿って延設された加熱発泡材（例えば、後述の加熱発泡材５１１ｃ，５２１ｃ）と、前記加熱発泡材の近傍に配置された弾性部材（例えば、後述の気密材９１，９２）を備え、前記弾性部材は、前記加熱発泡材の延びる方向に延設された弾性部材本体部（例えば、後述の気密材本体部９１ａ，９２ａ）と、前記加熱発泡材の前記構成部材とは反対側の表面に向かって前記弾性部材本体部から延出する弾性部材延出部（例えば、後述の気密材延出部９１ｂ，９２ｂ）と、を有する建具を提供する。
【０００７】
本発明では、建具の構成部材に沿って延設された加熱発泡材及び弾性部材が互いに近傍に位置するよう配置し、その弾性部材が、加熱発泡材の、構成部材と接する面とは反対側の表面に向かって延出する弾性部材延出部を有するものとする。
これによりネジ等の締結部材を用いることなく、加熱発泡材が建具の構成部材から剥がれ落ちるのを容易に且つ確実に防止することができる。従って、本発明に係る建具は生産性及び意匠性が高い。
【０００８】
また、前記弾性部材延出部は、前記加熱発泡材に当接することが好ましい。
【０００９】
また、前記弾性部材延出部は、前記弾性部材本体部の延設方向全体に亘って形成されることが好ましい。
【００１０】
また、前記弾性部材は気密材であることが好ましい。
【発明の効果】
【００１１】
本発明によれば、構成部材に延設された加熱発泡材が剥がれ落ちてしまうことを確実に防止できるとともに生産性及び意匠性の高い建具を提供できる。
【図面の簡単な説明】
【００１２】
【図１】本発明の一実施形態に係る建具を屋外側から見た姿図である。
【図２】上記実施形態に係る建具を屋内側から見た姿図である。
【図３】上記実施形態に係る建具の備える戸の縦断面図である。
【図４】上記実施形態に係る建具の備える戸の横断面図である。
【図５】図３の領域Ｒの拡大図である。
【図６】上記実施形態に係る建具の備える気密材の斜視図である。
【発明を実施するための形態】
【００１３】
以下、本発明の一実施形態について、図面を参照しながら詳しく説明する。
図１は、本実施形態に係る建具１００を屋外側から見た姿図である。図２は、本実施形態に係る建具１００を屋内側から見た姿図である。建具１００の備える戸１は、玄関ドア等の開き戸である。本明細書において、「吊元側」とは、戸１の吊元側を意味し、「戸先側」とは、戸１の戸先側を意味する。また、本明細書において、「見付方向」とは、建具１００（戸１）の面方向に沿う方向であり、建具１００（戸１）の高さ方向や幅方向を含む概念である。
建具１００は、建物に形成された躯体開口部Ａの内部に設けられ、戸１の他に、固定枠体１１０と、丁番１２１，１２２，１２３と、ドアクローザ１３０（図２参照）と、ドアガード１４０（図２参照）と、を更に備える。
【００１４】
固定枠体１１０は、建物に形成された躯体開口部Ａの周囲に配置される。固定枠体１１０は、横枠としての固定上枠１１１及び固定下枠１１２と縦枠としての吊元側の固定縦枠１１３及び戸先側の固定縦枠１１４により矩形に枠組みされる。
【００１５】
丁番１２１，１２２，１２３は、吊元側の固定縦枠１１３及び戸１に接続される。
ドアクローザ１３０は、戸１の屋内側の上側であって、戸１の見付方向（戸１の幅方向）の中心よりも吊元側に寄って配置される。ドアクローザ１３０は、本体が戸１に、アームが固定上枠１１１に、それぞれ接続され、戸１を自動的に閉じる。
【００１６】
ドアガード１４０は、戸１に配置され且つループ状に形成されたドアガード本体部１４１と、戸先側の固定縦枠１１４に配置され且つドアガード本体部１４１が掛合することが可能なドアガード受け部１４２と、を有する。ドアガード１４０は、ドアガード本体部１４１がドアガード受け部１４２に掛合することで、戸１が開放されるのを制限する。
【００１７】
戸１は、建物に形成された躯体開口部Ａの内部に、開閉可能に嵌め込まれる。具体的には、戸１は、丁番１２１，１２２，１２３によって、固定枠体１１０の内側に吊り込まれる。
戸１は、框体２０と、開口部３０と、障子４０と、開口部枠体５０と、屋外側面材６１と、屋外側ハンドル６２と、シリンダー６３，６４と、屋内側面材７１と、屋内側ハンドル７２と、サムターン７３，７４と、格子８０と、を備える。
【００１８】
框体２０は、戸体の四周を囲んで配置される。框体２０は、横框としての上框２１及び下框２２と縦框としての吊元側の縦框２３及び戸先側の縦框２４により矩形に框組みされる。
開口部３０は、框体２０の内側であって、戸１の見付方向（戸１の幅方向）の中心よりも吊元側に形成される。
【００１９】
障子４０は、開口部３０の内側に嵌め込まれる。障子４０は、縦辷り出しタイプの障子であり、障子４０を開放すれば、戸１を開放することなく屋内の通気・換気（採風）が可能になる。
障子４０は、採風框体４１と、ガラス４２と、把手４３（図２参照）と、を備える。採風框体４１は、横框としての採風上框４１１及び採風下框４１２と縦框としての吊元側の採風縦框４１３及び戸先側の採風縦框４１４により矩形に框組される（図２参照）。ガラス４２は、採風框体４１の内側に嵌め込まれる。把手４３は、吊元側の採風縦框４１３の屋内側に配置される。障子４０の吊元は、戸１の戸先側に、障子４０の戸先は、戸１の吊元側に、それぞれ配置される。
【００２０】
開口部枠体５０は、開口部３０の周囲に配置される。開口部枠体５０は、横枠としての開口部上枠５１及び開口部下枠５２と縦枠としての吊元側の開口部縦枠５３及び戸先側の開口部縦枠５４により矩形に枠組みされる。
【００２１】
屋外側面材６１は、戸１の屋外側の表面に配置される（図１参照）。
屋外側ハンドル６２は、戸１の屋外戸先側における高さ方向の略中央部に配置される。屋外側から屋外側ハンドル６２を把持して戸１を屋外側に引くことで、戸１を、丁番１２１，１２２，１２３を中心に回動させて開放することができる。
【００２２】
シリンダー６３，６４は、屋外側ハンドル６２の上下にそれぞれ配置される。シリンダー６３，６４は、鍵を挿入して回転させることができる。シリンダー６３，６４を回転させることで図示しないデットボルトを操作できる。デットボルトを操作することで建具１００を施錠できる。
【００２３】
屋内側面材７１は、戸１の屋内側の表面に配置される（図１参照）。
屋内側ハンドル７２は、戸１の屋内戸先側における高さ方向の略中央部に配置される。屋外側から屋内側ハンドル７２を把持して引くことで、戸１を、丁番１２１，１２２，１２３を中心に回動させて開放することができる。
【００２４】
サムターン７３，７４は、屋内側ハンドル７２の上下にそれぞれ配置される。サムターン７３，７４を回転させることによっても、図示しないデットボルトを操作して、建具１００を施錠できる。
【００２５】
格子８０は、開口部３０（障子４０）の屋外側に配置される。格子８０は、縦格子８１と、水平材８２と、を有する。
縦格子８１は、戸１の上端から下端に亘って延設される。水平材８２は、縦格子８１の障子側に配置され、縦格子８１の高さ方向の略中央部において、縦格子８１と直角に交差する。
【００２６】
図３は、戸１の縦断面図である。
図３に示すように、ガラス４２は、屋外側の板ガラス４２１と、屋内側の板ガラス４２２と、これら２枚の板ガラスで挟持されたスペーサ４２３と、を備える複層ガラスであり、優れた断熱性を有する。
なお、戸１は、ガラス４２の屋外側に配置される網６５を有する。網６５は、障子４０を開放することで屋外と屋内とを開口部３０を通じて連通させた際に、虫等が屋内に侵入するのを防ぐ。また、戸１は、屋外側面材６１と屋内側面材７１との間に配置される断熱材Ｈを有する。断熱材Ｈは、例えば、発泡ポリスチレンからなる。
【００２７】
上框２１は、断面がＵ字状である樹脂上框２１１と、樹脂上框２１１の内部に配置される断面がＵ字状の上框芯材２１２と、上框２１のエッジ部分を覆うエッジ部材２１３と、を有する。樹脂上框２１１及び上框芯材２１２は、リベット２１ａによって接続される。
【００２８】
開口部上枠５１は、開口部上枠本体５１１と、開口部上枠芯材５１２と、開口部上枠内部芯材５１３と、を有する。
【００２９】
開口部上枠本体５１１は、中空部５１１ａを有するホロー構造である。また、開口部上枠本体５１１は、下方に延出した延出部５１１ｂを有する。延出部５１１ｂは、屋外側に屈曲しつつ下方に延出する。開口部上枠本体５１１は、例えばアルミニウムで構成される。より具体的には、開口部上枠本体５１１は、アルミニウムを押出成形することで得られる。
【００３０】
開口部上枠本体５１１は、延出部５１１ｂの基端側の屋内側に配置される加熱発泡材５１１ｃと、加熱発泡材５１１ｃの近傍に配置される気密材９１と、加熱発泡材５１１ｃよりも先端側の屋内側に配置される加熱発泡材５１１ｅと、加熱発泡材５１１ｅの近傍に配置される網６５を固定するための網押し棒５１１ｆと、開口部上枠本体５１１（延出部５１１ｂ）から加熱発泡材５１１ｅが剥落するのを防止する剥落防止具５１１ｇと、を有する。
加熱発泡材５１１ｃ及び気密材９１については、後段で詳述する。
【００３１】
開口部上枠芯材５１２は、開口部上枠本体５１１の上方に配置される。開口部上枠芯材５１２は、上方に開放した断面Ｃ字状の長尺部材であり、例えば、ステンレスからなる。開口部上枠芯材５１２は、屋外側においてリベット５１２ａによって開口部上枠本体５１１に固定され、屋内側においてリベット５１２ｂによって後述するモール固定部材５１６に固定される。開口部上枠芯材５１２と開口部上枠本体５１１との間には、屋外側面材６１の一部及び加熱発泡材５１２ｃが配置される。開口部上枠芯材５１２とモール固定部材５１６との間には、屋内側面材７１の一部及び加熱発泡材５１２ｄが配置される。
【００３２】
開口部上枠内部芯材５１３は、開口部上枠本体５１１の中空部５１１ａに配置される。開口部上枠内部芯材５１３は、断面が上方に開放したＣ字状の長尺部材であり、例えば、ステンレスからなる。
【００３３】
また、戸１は、開口部屋外上側モール部材５１４と、開口部屋内上側モール部材５１５と、モール固定部材５１６と、を有する。
【００３４】
開口部屋外上側モール部材５１４は、開口部上枠５１の屋外側に配置される。開口部屋外上側モール部材５１４は、図示しないネジによって、後述する開口部屋外吊元側モール部材５３４及び開口部屋外戸先側モール部材５４４と連結される。開口部屋外上側モール部材５１４は、上框２１から開口部上枠５１の屋外側を覆う。
【００３５】
開口部屋内上側モール部材５１５は、開口部上枠５１の屋内側に配置される。
モール固定部材５１６は、開口部屋内上側モール部材５１５を固定するための部材であって、ネジ５１６ａによって開口部上枠本体５１１に締結される。開口部屋内上側モール部材５１５は、スナップフィットによりモール固定部材５１６に固定される。
【００３６】
採風上框４１１は、中空部４１１ａを有するホロー構造である。また、採風上框４１１は、上方に延出した延出部４１１ｂと、下方に形成された溝部４１１ｃと、を有する。採風上框４１１には上面に加熱発泡材４１１ｄが、延出部４１１ｂの屋外側には加熱発泡材４１１ｅが貼り付けられ、加熱発泡材４１１ｄ及び加熱発泡材４１１ｅは、断面がＬ字状の固定金具４１１ｆによって固定される。溝部４１１ｃの内部には、断面が下方に開放したＣ字状の採風上框芯材４１１ｇが配置され、採風上框芯材４１１ｇの内部には加熱発泡材４１１ｈが配置される。
【００３７】
採風上框４１１は、障子４０の閉鎖時に屋外側において気密材９１と当接する。
ガラス４２の上側の端部は、溝部４１１ｃに嵌め込まれて、グレイジングチャンネル４１１ｉを介して採風上框４１１に挟持される。
【００３８】
下框２２、開口部下枠５２及び採風下框４１２は、それぞれ上框２１、開口部上枠５１及び採風上框４１１とほぼ同様の構造を有する。下框２２、開口部下枠５２及び採風下框４１２については、上框２１、開口部上枠５１及び採風上框４１１と同様の構造には対応する符号を付して説明を省略し、異なる構造について説明する。
【００３９】
開口部下枠本体５２１は、屋外側に配置され、中空部５２１ａから雨水等を排水するための排水弁５２１ｊを有する。
開口部下枠内部芯材５２３には、屋外側及び屋内側にそれぞれ加熱発泡材５２３ａ，５２３ｂが配置される。
また、中空部４１２ａの内部には、断面がＭ字状の採風下框内部芯材４１２ｊが配置され、溝部４１２ｃの内部の加熱発泡材４１２ｈの上には、ガラス４２を支持する緩衝材４１２ｋが配置される。
【００４０】
更に、戸１は、開口部上枠５１及び採風上框４１１と接続される上側アームＳ１と、開口部下枠５２及び採風下框４１２と接続される下側アームＳ２と、を有する。上側アームＳ１及び下側アームＳ２によって、障子４０が開口部３０の内側に開閉可能に吊り込まれる。
【００４１】
図４は、戸１の横断面図である。図４においては、縦格子８１の断面は示さない。
吊元側の縦框２３は、断面がＵ字状である樹脂縦框２３１と、樹脂縦框２３１の内部に配置される断面がＵ字状の縦框芯材２３２と、縦框２３のエッジ部分を覆うエッジ部材２３３と、を有する。樹脂縦框２３１、縦框芯材２３２及びエッジ部材２３３は、ネジ２３ａによって接続される。
【００４２】
開口部縦枠５３は、開口部縦枠本体５３１と、開口部縦枠芯材５３２と、を有する。
開口部縦枠本体５３１は、戸先側に延出した延出部５３１ｂを有する。開口部縦枠本体５３１は、例えばアルミニウムで構成される。より具体的には、開口部縦枠本体５３１は、アルミニウムを押出成形することで得られる。
【００４３】
開口部縦枠本体５３１は、屋内側の面に配置される加熱発泡材５３１ｃと、加熱発泡材の近傍に配置される気密材５３１ｄと、延出部５３１ｂの屋内側に配置される加熱発泡材５３１ｅと、加熱発泡材５３１ｅの近傍に配置される網６５を固定するための網押し棒５３１ｆと、開口部縦枠本体５３１（延出部５３１ｂ）から加熱発泡材５１１ｅが剥落するのを防止する剥落防止具５３１ｇと、を有する。開口部縦枠本体５３１の吊元側の面には、加熱発泡材５３１ｈが配置される。
【００４４】
開口部縦枠芯材５３２は、開口部縦枠本体５３１の吊元側に配置される。開口部縦枠芯材５３２は、断面が吊元側に開放されたＣ字状の長尺部材であり、例えば、ステンレスからなる。開口部縦枠芯材５３２は、屋外側においてリベット５３２ａによって開口部縦枠本体５３１に固定され、屋内側においてリベット５３２ｂによって後述するモール固定部材５３６に固定される。開口部縦枠芯材５３２と開口部縦枠本体５３１との間には、屋外側面材６１の一部及び加熱発泡材５３２ｃが配置される。開口部縦枠芯材５３２とモール固定部材５３６との間には、屋内側面材７１の一部及び加熱発泡材５３２ｄが配置される。
【００４５】
また、戸１は、開口部屋外吊元側モール部材５３４と、開口部屋内吊元側モール部材５３５と、モール固定部材５３６と、を有する。
【００４６】
開口部屋外吊元側モール部材５３４は、開口部縦枠５３の屋外側に配置される。開口部屋外吊元側モール部材５３４は、ネジ５３４ａによって、水平材８２と連結される。また、開口部屋外吊元側モール部材５３４は、モール固定部材５３４ｂによって開口部縦枠５３に固定され、モール固定部材５３４ｃによって断熱材Ｈに固定される。
【００４７】
開口部屋内吊元側モール部材５３５は、開口部縦枠５３の屋内側に配置される。
モール固定部材５３６は、開口部屋内吊元側モール部材５３５を固定するための部材であって、ネジ５３６ａによって開口部縦枠本体５３１に締結される。開口部屋内吊元側モール部材５３５は、スナップフィットによりモール固定部材５３６に固定される。
【００４８】
採風縦框４１３は、中空部４１３ａを有するホロー構造である。また、採風縦框４１３は、戸先側に形成された溝部４１３ｃと、を有する。中空部４３２ａの内部には、断面が戸先側に開放したＣ字状の採風縦框内部芯材４１３ｊが配置される。溝部４１３ｃの内部には、断面が戸先側に開放したＣ字状の採風縦框芯材４１３ｇが配置され、採風縦框芯材４１３ｇの内部には加熱発泡材４１３ｈが配置される。
【００４９】
採風縦框４１３は、障子４０の閉鎖時に屋外側において気密材５３１ｄと当接する。
ガラス４２の吊元側の端部は、溝部４１３ｃに嵌め込まれて、グレイジングチャンネル４１３ｉを介して採風縦框４１３に挟持される。
【００５０】
戸１は、吊元側の開口部縦枠５３と採風縦框４１３との間に、障子４０が開放されるのを制限するロック機構Ｌを有する。ロック機構Ｌは、把手４３によって操作される。
【００５１】
戸先側の縦框２４、開口部縦枠５４及び採風縦框４１４は、吊元側の縦框２３、開口部縦枠５３及び採風縦框４１３は、とほぼ同様の構造を有する。下戸先側の縦框２４、開口部縦枠５４及び採風縦框４１４については、吊元側の縦框２３、開口部縦枠５３及び採風縦框４１３と同様の構造には対応する符号を付して説明を省略し、これらと異なる構造について説明する。
【００５２】
戸先側の樹脂縦框２４１は、屋外側及び屋内側に別々に配置される。エッジ部材２４３は、戸１を閉鎖した際に固定縦枠１１４に当接する延出部２４３ａを有する。
戸先側の開口部縦枠本体５４１の吊元側及び戸先側の採風縦框４１４の戸先側には、それぞれ加熱発泡材５４１ｉ及び加熱発泡材４１４ｍが互いに対向して配置される。更に
戸先側の開口部縦枠本体５４１の吊元側及び戸先側の採風縦框４１４の戸先側には、屈曲して延出する延出部材５４１ｊ及び延出部材４１４ｎがそれぞれ配置される。
【００５３】
図５は、図３の領域Ｒの拡大図であり、建具１００の備える加熱発泡材５１１ｃ及び気密材９１について示す図である。図５は、障子４０が開放された状態を示す。
加熱発泡材５１１ｃは、見付方向（建具１００の幅方向）に延びる、建具１００の構成部材である開口部上枠本体５１１（延出部５１１ｂ）に沿って延設される。加熱発泡材５１１ｃは、エポキシ樹脂やポリ塩化ビニル（ＰＶＣ）等の発泡性樹脂からなるシート状の部材である。
更に、開口部上枠本体５１１は、加熱発泡材５１１ｃの下側の近傍に、加熱発泡材５１１ｃの延設方向に沿って形成される溝部５１１ｋを有する。
【００５４】
気密材９１は、気密材本体部９１ａと、気密材本体部９１ａから延出する気密材延出部９１ｂと、を備える。気密材本体部９１ａは、その一部が溝部５１１ｋの内部に配置されることで、開口部上枠本体５１１に沿って延設される。気密材延出部９１ｂは、加熱発泡材５１１ｃの、開口部上枠本体５１１と接する面とは反対側（屋内側）の表面に向かって延出する。より詳しくは、気密材延出部９１ｂは、気密材本体部９１ａの上側の端部から延出して屋外側に屈曲し、先端が加熱発泡材５１１ｃに当接する。
【００５５】
図６は、気密材９１の斜視図である。図６に示すように、気密材延出部９１ｂは、気密材本体部９１ａの延設方向全体に亘って形成される
気密材９１は、障子４０が閉鎖されている状態では、障子の屋外側に当接し、屋外側と屋内側との気密性を確保する。気密材９１は、例えば、ＳＢＲ等の合成ゴムを押し出し成型することによって得られる。
【００５６】
建具１００が備える、開口部下枠本体５２１（延出部５２１ｂ）に沿って延設された加熱発泡材５２１ｃ及び気密材９２の配置や構造は、加熱発泡材５１１ｃ及び気密材９１と同様であるので説明を省略する。
【００５７】
本実施形態に係る建具１００よれば、以下の効果が奏される。
本実施形態では、開口部上枠本体５１１に沿って延設された加熱発泡材５１１ｃ及び気密材９１が互いに近傍に位置するように配置し、その気密材９１が、加熱発泡材５１１ｃの、開口部上枠本体５１１と接する面とは反対側の表面に向かって延出する気密材延出部９１ｂを有するものとした。
これにより、ネジ等の締結部材を用いることなく、加熱発泡材５１１ｃが開口部上枠本体５１１から剥がれ落ちるのを容易に且つ確実に防止することができる。従って、本実施形態に係る建具１００は生産性及び意匠性が高い。
【００５８】
また、本実施形態では、気密材延出部９１ｂが加熱発泡材５１１ｃに当接するものとした。
これにより、加熱発泡材５１１ｃが開口部上枠本体５１１から剥がれ落ちるのをより確実に防止することができる。
【００５９】
また、本実施形態では、気密材延出部９１ｂが気密材本体部９１ａの延設方向全体に亘って形成されるものとした。
これにより、加熱発泡材５１１ｃの延設方向全体に亘って気密材延出部９１ｂが延出しているので、加熱発泡材５１１ｃが開口部上枠本体５１１から剥がれ落ちるのをより確実に防止することができる。
【００６０】
また、本実施形態では、建具１００の気密性を確保するための気密材９１に、気密材延出部９１ｂを形成した。
建具の備える気密材の周辺は、特に火災によって隙間が空いてしまう蓋然性が高い。本実施形態に係る建具１００では、建具の備える気密材に気密材延出部９１ｂを形成することで、その近傍に配置された加熱発泡材５１１ｃの剥がれ落ちを容易に防止することができる。
【００６１】
なお、本発明は上記実施形態に限定されるものではなく、本発明の目的を達成できる範囲での変形、改良等は本発明に含まれる。
上記実施形態では、気密材延出部９１ｂの先端が加熱発泡材５１１ｃに当接するものとしたが、本発明はこれに限定されない。本発明における弾性部材延出部は、加熱発泡材の、建具の構成部材と接する面とは反対側の表面に向かって延出するものであればよく、加熱発泡材に当接していなくてもよい。
【００６２】
また、上記実施形態では、弾性部材延出部を有する弾性部材及び加熱発泡材の延設される構成部材を開口部上枠本体５１１及び開口部下枠本体５２１としたが、本発明はこれに限定されない。例えば、建具の縦枠や障子側の框体に、本発明の特徴である加熱発泡材の剥がれを防止する構造を適用してもよい。
【００６３】
また、本実施形態では、弾性部材延出部を有する弾性部材が気密材であるが、本発明はこれに限定されない。本発明における弾性部材は、例えば、網を固定するための網押し棒のような、気密材以外の弾性部材であってもよい。
【００６４】
また、本発明における弾性部材は、弾性部材延出部を有するものであればよく、弾性部材本体部の形状等は特に限定されない。
【符号の説明】
【００６５】
１００…建具
９１，９２…気密材（弾性部材）
９１ａ，９２ａ…気密材本体部（弾性部材本体部）
９１ｂ，９２ｂ…気密材延出部（弾性部材延出部）
５１１…開口部上枠本体（建具の構成部材）
５２１…開口部下枠本体（建具の構成部材）
５１１ｃ，５２１ｃ…加熱発泡材
Ａ…躯体開口部
【図１】
2016108831.tif 000003
【図２】
2016108831.tif 000004
【図３】
2016108831.tif 000005
【図４】
2016108831.tif 000006
【図５】
2016108831.tif 000007
【図６】
2016108831.tif 000008